Podtech/llm-jp-corpus-v4-ja_patent huggingface dataset:
(57)【要約】【課題】  抗炎症作用を有する組成物を提供し、ひいては該組成物を含有する飲食品、動物飼料、化粧品又は医薬品を提供することにある。【解決手段】  ハバノリの成分を含有することを特徴とする抗炎症組成物、及び該組成物を含有する飲食品、動物飼料、化粧品又は医薬品を提供する。【選択図】なし【特許請求の範囲】
【請求項１】
ハバノリの成分を含有することを特徴とする抗炎症組成物。
【請求項２】
請求項１に記載の組成物を含有する飲食品、動物飼料、化粧品又は医薬品。
【発明の詳細な説明】
【技術分野】
【０００１】  本発明は抗炎症効果目的とした組成物、及び該組成物を含む飲食品、動物飼料、化粧品又は医薬品に関する。
【背景技術】
【０００２】  抗炎症作用を有する飲食品は、関節炎（関節リウマチ、変性性骨関節炎など）、腫脹、アレルギー性鼻炎、花粉症、皮膚などの炎症性疾患に対しての治療、改善、予防に有効である。抗炎症剤として医薬品ではステロイド性抗炎症薬（ベタメタゾン、デキサメタゾン、プレトニゾロン等）などが知られているが、いずれも副作用がある。食品ではグルコサミン、コンドロイチン、ＭＳＭ（メチルサルフォニルメタン）、アスタキサンチン、甜茶、デビルズクロー、カテキンなどが知られているが、より効果の高い新しい素材が求められている。【０００３】  ハバノリ（Ｐｅｔａｌｏｎｉａ  ｂｉｎｇｈａｍｉａｅ）は渇藻類カヤモノリ科の海藻である。日本全域の外洋に面した潮間帯によく見られる。地域によっては雑煮や味噌汁の具として食べられている。
【発明の開示】
【発明が解決しようとする課題】
【０００４】本発明は、抗炎症作用を有する組成物を提供し、ひいては該組成物を含有する飲食品、動物飼料、化粧品又は医薬品を提供することにある。
【課題を解決するための手段】
【０００５】  上記の課題を解決するために鋭意検討を重ねた結果、ハバノリに顕著な抗炎症作用があることを見出した。すなわち本発明は、以下の構成を有する。
（１）ハバノリの成分を含有することを特徴とする抗炎症組成物。
（２）上記（１）に記載の組成物を含有する飲食品、動物飼料、化粧品又は医薬品。
【発明の効果】
【０００６】本発明により、ハバノリの成分を含有することを特徴とする抗炎症組成物、及び該組成物を含有する飲食品、動物飼料、化粧品又は医薬品を提供することができる。
【発明を実施するための最良の形態】
【０００７】
【０００８】  本発明に関わるハバノリは海藻全体をそのまま用い、これらを乾燥した乾燥体、もしくは乾燥後粉砕した粉末を用いることもできる。また、これらを水抽出、熱水抽出、酸性下での抽出、アルカリ性下での抽出、エタノール、アセトン、酢酸エチル、ヘキサン等有機溶媒で抽出した抽出物を用いることもできる。【０００９】  本発明に関わる抗炎症剤を製造するには、上記の方法で製造したハバノリの成分を用いることができ、常法に従って公知の医薬用無毒性担体と組み合わせて製剤化すればよい。本発明に関わる抗炎症剤は、種々の剤型での投与が可能であり、例えば、経口投与剤としては錠剤、顆粒剤、散剤、カプセル剤、ソフトカプセル剤などの固形剤、溶液剤、懸濁剤、乳化剤等の液剤、凍結乾燥剤等があげられ、これらの製剤は製剤上の常套手段により調製することができる。上記医薬用無毒性担体としては、例えば、グルコース、乳糖、ショ糖、でんぷん、マンニトール、デキストリン、脂肪酸グリセリド、ポリエチレングリコール、ヒドロキシエチルでんぷん、エチレングリコール、ポリオキシエチレンソルビタン脂肪酸エステル、アミノ酸、アルブミン、水、生理食塩水などが挙げられる。また、必要に応じて安定化剤、滑沢剤、湿潤剤、乳化剤、結合剤等の慣用の添加剤を適宜添加することができる。本発明に関わる抗炎症剤において、ハバノリ成分の投与量は、患者の年齢、体重、症状、疾患の程度、投与スケジュール、製剤形態等により、適宜選択、決定されるが、例えば、一日当たり生海藻等価量として０．０１−１００ｇ／ｋｇ体重程度とされ、一日数回に分けて投与してもよい。【００１０】  また、本発明に関わるハバノリは、毒性を有することは報告されていないことから、抗炎症を目的とした飲食品として摂取することもできる。本発明に関わるハバノリの成分は、特定保健用食品、栄養機能食品、又は健康食品等として位置付けることができる。機能性食品としては、例えば、ハバノリの成分に適当な助剤を添加した後、慣用の手段を用いて、食用に適した状態、例えば、顆粒状、粒状、錠剤、カプセル剤、ソフトカプセル剤、ペースト状等に形成したものを用いることができる。この飲食品は、そのまま食用に供してもよく、また種々の食品（例えばハム、ソーセージ、かまぼこ、ちくわ、パン、バター、粉乳、菓子など）に添加して使用したり、水、酒類、果汁、牛乳、清涼飲料水等の飲物に添加して使用したりしてもよい。かかる食品の形態における本発明のハバノリの成分の摂取量は、年齢、体重、症状、疾患の程度、食品の形態等により適宜選択・決定されるが、例えば、一日当たり生海藻等価量として０．０１−１００ｇ／ｋｇ体重程度とされ、一日数回に分けて投与してもよい。
【実施例】
【００１１】  以下に本発明をより詳細に説明するために実施例を挙げるが、本発明はこれらによって何ら限定されるものではない。【００１２】  実施例  ハバノリメタノール抽出物の抗炎症作用
被験試料として生のハバノリのメタノール抽出物を用いた。ハバノリの粗切物（１ｋｇ）を１０倍量のメタノールに一日浸漬し、減圧乾固した結果、５％程度の抽出物を得た。９週齢の雄ｄｄＹマウスを左後ろ肢足蹠の容積と厚さを測定し（０時間の測定値）、蒸留水で懸濁したハバノリのメタノール抽出物（２，０００ｍｇ／ｋｇ体重）を経口投与した。コントロールとして蒸留水のみを経口投与した。１時間後、左後ろ肢足蹠皮下へ生理食塩水で溶解した１％カラゲニンを５０μｌ注射投与した。注射の２時間後、４時間後に左後ろ肢の容積と厚さを測定した。その結果を表１に示す。それぞれの値はコントロール群の平均値を１００％としたハバノリメタノール抽出物投与群のカラゲニン浮腫形成抑制率を示す。有意差検定はＳｔｕｄｅｎｔのｔ−ｔｅｓｔによって行った。＊はコントロールに対しｐ＜０．０５を示す。
【表１】
2011184425.tif 000002
【００１３】  この結果より、ハバノリ抽出物はマウスのカラゲニン誘発浮腫形成を有意に抑制することが明らかとなった。
【産業上の利用可能性】
【００１４】  本発明により、ハバノリの成分を含有することを特徴とする抗炎症組成物及び該組成物を含有する飲食品、動物飼料、化粧品又は医薬品を提供することが可能となった。
(57)【要約】【課題】オートマチック変速車輌の運転に於けるブレーキペダルとアクセルペダルの踏み間違いによる暴走と、踏み替えによる時間的遅れと、左足のエコノミック症候群を防ごうと為すものである【解決手段】左足でブレーキペダルの操作を為し、右足でアクセルペダルの操作を為し、アクセルとブレーキの踏み間違いを防止し、又、踏み替えによる時間的遅れを無くし、尚、左右の足の働く事によりエコノミック症候群の予防を計るものである【特許請求の範囲】
１  自動変速装置搭載車輌に於いて、左足でブレーキペダルを操作することを特徴とする機構方法
【発明の詳細な説明】
【技術分野】自動車の安全運転操作に関する
【背景技術】
【０００１】現在、多くの車輌に自動変速装置が主流を占める現状がある、然るに車輌機構がアクセルペダルとブレーキペダルの操作が右足だけの踏み替えによる為、錯覚による踏み間違いを為し暴走事故を招く原因がある、又、踏み替えによる時間的遅れが生ずる、又、長時間の運転による左足の不動状態はエコノミック症候群の誘因にもなり得る懸念が生ずる
【発明の表示】
【発明が解決しようとする課題】
【０００２】そこで、左右の足によりブレーキペダルとアクセルペダルの踏み間違いを無くし尚、時間的遅れを無くし、又、左足の運動も促し血行の向上を得んとするものである
【課題を解決するための手段】
【０００３】即ち、右足はアクセルペダル専用に為し、左足はブレーキペダル専用に為すものである運転者の習熟の為、暫定的に左右にダブルのブレーキペダルを設置しても可能でありまた、水平長尺のブレーキペダルに為してもよい
【発明の効果】
【０００４】前述の如く、左足がブレーキペダルで右足がアクセルペダルとの認識が定着し習熟すれば、右足だけの運転によるペダルの踏み間違いと、踏み替え操作による時間的遅れと、長時間運転による左足のエコノミック症候群も予防が出来るものであり、より安全な運転に寄与するものである
【発明を実施するための最良の形態】
【０００５】ハンドルを中心軸として右にアクセルペダル、左にブレーキペダルを配置する方法であり尚、高齢者、婦女子、初心者、などが左足のブレーキペダルに習熟するまで左右に複数のブレーキペダルの設置を為してもよい
また、ブレーキペダルに任意の色彩を施してもよく、また、足とペダル位置を示すガイドランプをダッシュボードなどに設置してもよい
(57)【要約】【課題】自動車の室内に於ける、スライド式座席の任意箇所と座席以外の固定箇所を結ぶワイヤーやエレクトリック・ワイヤーを機械装置や乗車員の動作による、損傷から保護すること。【解決手段】ガイドパイプにより座席フレーム下部に誘導され、複数のワイヤーガイドに緩く保持され、それ自体の湾曲形状の変化により保守するワイヤーは、機械装置や乗車員の動作に触れることなく、保護される。【選択図】図１
2011184031.tif 000002
【特許請求の範囲】
【請求項１】
車室内に於いて、座席フレームに固定されたガイドパイプ（２）、座席以外の固定箇所から継ぎ足されて固定されたガイドパイプ（４）、（６）、座席フレーム下部に固定された複数のワイヤーガイド（７）、および座席フレーム下部に固定された、ガイドパイプ（６）を通過する切り口（１０）のある収納箱（１１）から、構成されたワイヤー保護器具。
【発明の詳細な説明】
【技術分野】
【０００１】  本発明は、自動車の室内に於いて、前後にスライドする座席の任意箇所と、座席以外の固定箇所を結ぶワイヤーを保護する、器具に関するものである。
【背景技術】
【０００２】  露出したエレクトリック・ワイヤーが、そのままになって損傷するのを防いで、保護できるようにしたものには、掃除機等の家電製品がある。
関連する技術文献は知りません。
【発明の開示】
【発明が解決しようとする課題】
【０００３】  車室内に於いて、前後にスライドする座席の任意箇所で得た、電気的や機械的な変化を座席以外の固定箇所へ伝えるための、ワイヤーの露出部を損傷から保護するものである。
【課題を解決するための手段】
【０００４】  座席の任意箇所で得た変化を伝えるワイヤー（１）は、座席フレーム上部に溶接等で固定されたガイドパイプ（２）により、座席フレーム下部へ誘導され、他方の固定箇所からのガイドパイプ（３）は、ロアーボードに埋設された後に平バンド（３）等で固定されたガイドパイプ（４）と、保持凹溝のある棒（５）等で固定された他のガイドパイプ（６）を継ぎ足し、座席フレームの下部に達し、ワイヤーはそれを通る。座席フレーム下部にガイドパイプにより誘導されたワイヤーの残部は、座席フレーム下部に溶接等で固定された、複数のワイヤーガイド（７）により緩く保持され、そしてワイヤーの残部はそれ自体の湾曲形状（８）の変化で保守され、座席フレーム下部にボルト（９）等で固定されて、座席のスライド長を充足しガイドパイプ（６）を通過する切り口（１０）のある収納箱（１１）で覆われる。それから、特にガイドパイプ（６）の曲折部はワイヤーが通りやすいように、半径をできるだけ大きくする。
【発明の効果】
【０００５】  本発明により、車室内のワイヤーは機械装置や乗車員の動作に触れることなく、損傷から保護される。
【発明を実施するための最良の形態】
【０００６】  図１および図２で示すように、座席フレーム下部に伸びるガイドパイプ（２）および継ぎ足して座席フレーム下部に伸びるガイドパイプ（４）、（６）を設置し、複数のワイヤーガイド（７）を座席フレーム下部に設置し、そしてガイドパイプ（６）を通過する切り口（１０）のある収納箱（１１）を座席フレーム下部に取り付けた構成が最良と考えられる。
【産業上の利用可能性】
【０００７】  本発明は、少なく簡素な部品で構成されているので、故障が少なく、実用に供し得る。
【図面の簡単な説明】
【０００８】
【図１】  本発明を組み立てた場合の平面図である。
【図２】  本発明を組み立てた場合の側面図である。
【符号の説明】
【０００９】  １    ワイヤー（エレクトロック・ワイヤー）
２    ガイドパイプ
３    平バンド
４    ガイドパイプ
５    保持凹溝のある棒
６    ガイドパイプ
７    ワイヤーガイド
８    ワイヤーの湾曲形状
９    ボルト
１０  切り口
１１  収納箱
１２  座席の輪郭
１３  車体側レールの輪郭
１４  レールの支柱の輪郭
【図１】
2011184031.tif 000003
【図２】
2011184031.tif 000004
(57)【要約】      （修正有）【課題】買い物で重くなったカゴを持ち上げる必要もないことを特徴とするカゴ水平移動カート。【解決手段】バスケットの前方部に柵なしの平面台５を設け、後方部にストッパー軸受け４を介し上下作動するカゴ保持ストッパー３を設けた。会計レジ等に於いては、カートをレジ台に少し進入させストッパー３を外しカゴを引き滑らせてレジ台に移すことができ、買い物で重くなったカゴを持ち上げる必要もなく高齢者にとって大変便利である。【選択図】図１
2011184032.tif 000002
【特許請求の範囲】
【請求項１】
バスケットの前方部に柵なしの平面台を設け、後方部にストッパー軸受けを介し上下作動するカゴ保持ストッパーを設けたことを特徴とするカゴ水平移動カート。
【発明の詳細な説明】
【技術分野】
【０００１】本発明は、バスケット内のカゴを持ち上げず水平にレジスター台等に移すことができる買い物カートに関するものである。
【背景技術】
【０００２】従来、カートからカゴをレジ台に移すときバスケット柵の高さ分カゴを持ち上げてレジ台に移していた。
【発明の開示】
【発明が解決しようとする課題】
【０００３】そのために、次のような問題点があった。
（イ）買い物で重くなったカゴを持ち上げてレジ台に移す動作は高齢者にとって大変苦痛である。
本発明は、これらの問題点を解決するためになされたものである。
【課題を解決するための手段】
【０００４】バスケットの前方部に平面台を設け、後方部にカゴを保持する上下作動式カゴ保持ストッパーを設ける。以上を特徴とするカゴ水平移動カートである。
【発明の効果】
【０００５】前方柵なしのバスケットにカゴを乗せ、カゴを保持するストッパー下ろしカゴをバスケットに固定保持する。きわめて簡単な構造である。
【発明を実施するための最良の形態】
【０００６】以下、本発明の実施の形態について説明する。
（イ）バスケット前方部に平面台を設け、後方部にストツパー軸受け（４）と一体構造からなる上下作動するストッパーを設ける。
本発明は以上のような構成で、これを使用するときは、バスケットにカゴを乗せストッパーを下ろしカゴを固定保持する。会計レジ等に於いてカートをレジ台に少し進入させストッパーを上げカゴをレジ台に引き滑らせながら移す。従来のように重くなったカゴを持ち上げる必要もなく引き滑らせてレジ台等に移すことができる。
高齢者にとって大変便利である。
【実施例１】
【０００７】図（２）に示すように、カートをレジ台に少し進入させストッパーを外しカゴを引き滑らせてレジ台に移す。買い物で重くなったカゴを持ち上げる必要もなく高齢者にとって大変便利である。
【図面の簡単な説明】
【０００８】
【図１】本発明の側面図
【図２】本発明のバスケットの平面台からカゴがレジ台に滑り移る実施例を示す側面図
【符号の説明】
【０００９】１  カートフレーム
２  バスケット
３  ストッパー軸
４  ストッパー軸受け
５  平面台
６  カートハンドルグリップ
【図１】
2011184032.tif 000003
【図２】
2011184032.tif 000004
(57)【要約】【課題】  ペットボトルのキャップは素手で開閉するのが一般的だが子供やお年寄りあるいは怪我や障害があり指先に力がない人は困難である。嵌め込み式やペンチ式のものは一部あるが使い勝手や携帯性に問題がある。  醤油や油等、注ぎ口の中にプルトップのあるものは指が入り難く取り除くのが困難である。【解決手段】  ペットボトルキャップ回しは二つの湾曲したバネ材を回転軸で結合し隋円形に形成し全体を滑り防止のゴムや樹脂で覆ってある。長径端を両側から摘むと円形に開きそれをペットボトルのキャップに被せて離すとバネ材の力でクリンチし保持している。そして長径端以外の所を摘んで回すと小さい力でキャップを回すことが出来る。  プルトップは本体にあるプルトップ引き上げ棒の先に輪をかけると容易に引き開けることができる。【選択図】図１
2011184100.tif 000002
【特許請求の範囲】
【請求項１】
二つのバネ材を回転軸で繋ぎ細長の楕円形状にする。長径端を両側から指で摘むとバネ材が外に円形に開く。開いた状態でペットボトルのキャップに被せ摘んでいる指を離すとバネの戻る力でキャップをクリンチすることを特徴とするペットボトルキャップ回し。
【請求項２】
指の力が確実にペットボトルのキャップに加わるよう、バネ材及び回転軸全体をゴムや樹脂等の滑り難い材質で覆ったことを特徴とする請求項１記載のペットボトルキャップ回し。
【請求項３】
回転軸の一方にプルトップを開けるためのプルトップ引き上げ棒を付けたことを特徴とする請求項１記載のペットボトルキャップ回し。
【発明の詳細な説明】
【技術分野】
【０００１】  本発明はペットボトルのキャップ等を容易に開閉するための補助具に関する。
【背景技術】
【０００２】  従来はペットボトルのキャップは素手で回して開閉するのが一般的である。ただペンチ式や輪形のものを上から嵌め込む方式のものは一部ある。【０００３】  醤油や油等はキャップを外しても注ぎ口にさらにプルトップのあるものが多く指や細い棒状のもので引き上げて取り除くのが一般的である。【０００４】  なお、本発明に関する公知技術として次の特許文献１を挙げることができる。【０００５】
【特許文献１】  特開２００９−２９８４１０号公報、特開２００３−１１２７９５号公報
【発明が解決しようとする課題】
【０００６】  ペットボトルのキャップを素手で開封する場合は指先にある程度の力が必要である。そのため子供やお年寄りあるいは怪我や障害で指先に力がない人は困難である。
【０００７】  ペットボトルの飲料は外で買って飲むケースが多い。ペンチ式や嵌め込み式のものは簡便性や携帯性に欠けるものが多い。
【０００８】  醤油や油等の注ぎ口にあるプルトップは指先で開ける場合摘み難く、爪を傷めたりすることもある。
【課題を解決するための手段】
【０００９】  上述の目的を達成する本発明のペットボトルキャップ回しは２枚のバネ材を回転軸で結合し楕円形に形成してある。この長径端を両側から摘むと円形に広がり離すとバネの力で元の楕円形に復帰することを特徴とする。
【００１０】  バネの力でキャップにクリンチさせておくためと指の力がキャップへ確実に伝達されるようペットボトルキャップ回し全体をゴムや樹脂等の滑り防止材で覆う。
【００１１】  プルトップを引っ掛け持ち上げることができるよう長径端の一方に金属レバーを回転できるように取り付けてある。
【発明の効果】
【００１２】  ペットボトルキャップ回しは長径端を両側から摘むと輪になるのでワンタッチでキャップへの着脱が出来る。なおキャップを回すときは長径端以外の所を摘んで回す
【００１３】  小さい力で回すことが出来るので子供やお年寄りあるいは怪我や障害があり指先に力がない人も容易に開閉することができる。
【００１４】  大き目のサイズであれば異なったサイズのキャップでも対応できる。
【００１５】  プルトップを引き開ける場合はプルトップ用の金属棒で容易にできる。
【発明を実施するための最良の形態】
【００１６】  以下、本発明の実施の形態を図面に基づき詳細に説明する。【００１７】  図１は本発明の第１の実施の形態に係る外観斜視図である。【００１８】  図１から図３は本発明の第１の実施の形態に係り、図１はその外観斜視図、図２は内蔵されているバネ材とそれを連結している回転軸の斜視図、図３はペットボトルのキャップにクリンチし保持している斜視図である。【００１９】  図２に示すように二つのバネ材２を回転軸３で繋ぎ楕円の形状にしたものであり両回転軸から力を加えると円形に広げることができる。【００２０】  図１に示すようにバネ材２及び回転軸３はゴムや樹脂等の滑り難い材質で被覆する。【００２１】  プルトップ引き上げ棒４は回転させることができ先端に引っ掛け部を形成してある。
【実施例】
【００２２】  バネ材２と被覆は長径方向から摘むと容易に円形になり、ペットボトルのキャップに被せて離してもバネ材１の力でクリンチし保持している強さとする。
被覆は厚めにするとトルクが大きくなるので小型化との兼ね合いで設定する。【００２３】  プルトップ引き上げ棒は強度と錆に強いステンレスとする。
【産業上の利用可能性】
【００２４】  本発明はビンや缶等で熱い物や危険な物を持つ時に有効である。またドラム缶やタンクの蓋等の大きなトルクを必要とするところにも応用できる。
【図面の簡単な説明】
【００２５】
【図１】本体の外観斜視図である。
【図２】内蔵されているバネ材とそれを連結している回転軸の斜視図である。
【図３】ペットボトルのキャップにクリンチし保持している斜視図である。
【符号の説明】
【００２６】１  ペットボトルキャップ回し本体
２  バネ材
３  回転軸
４  プルトップ引き上げ棒
【図１】
2011184100.tif 000003
【図２】
2011184100.tif 000004
【図３】
2011184100.tif 000005
(57)【要約】      （修正有）【課題】都市部や過疎高齢化地域まで日本全国に紙媒体文化、新聞、郵便物、本、書籍等を宅配するためのカバーの提供【解決手段】新聞、ちらし広告等１を挟み込んで保持するカバー３に切れ目を入れてポケット状態５Ａとし、郵便物４や他の広告宣伝物を挿入する。郵便物４等の挿入物の保持のためのり付け部分６Ｂを設ける。さらにカバー３に宛名部分を設け、二つ折りにして間に本、書籍を挟み込みラッピング包装をする。【選択図】図２
2011184099.tif 000002
【特許請求の範囲】
【請求項１】
ラッピング新聞に適当な切れ目を付けてぽけっと状態にした部分。
【請求項２】
ラッピング新聞に宛名部分をつくった状態の部分。
【請求項３】
宛名ぽけっとラッピング新聞商品全体の形状。
【発明の詳細な説明】
【技術分野】
【０００１】本発明は、紙媒体、新聞、郵便、書籍等の宅配の衰退を防ぐものに関する。
【背景技術】
【０００２】近年紙の活字離れから、新聞、郵便、書籍等の宅配が衰退しつつある。【０００３】最近３０年らいそれらの宅配経費は、ほとんど広告収入に頼ってきた。【０００４】近年の電子化により、宅配経費を支える広告収入が減少し始めた背景。
【特許文献１】特許公開２００３−３０３１０株式会社日立制作所
【発明の開示】
【発明が解決しようとする課題】
【０００５】新聞、郵便、書籍等の紙媒体の宅配が都市部、過疎部を問わず日本全国それぞれ別々に宅配されている。【０００６】その宅配経費が紙広告媒体に依存している。【０００７】依存している紙広告媒体がほとんど無宛名である。
【課題を解決するための手段】
【０００８】新聞、郵便、書籍等の紙宅配媒体を統一する手段。【０００９】その宅配を支える紙広告媒体の広告料を増やす手段。【００１０】その紙広告媒体を宛名配布をする手段。
【発明の効果】
【００１１】本発明の宛名ぽけっとラッピング新聞は新聞、郵便、書籍等を一度に全部届けることができる。【００１２】都市部はもとより、今から迎える過疎高齢化地域にも安定した宅配が可能になる。【００１３】宛名個別宅配を可能にしたことで、安定した広告料が確保できる。
【発明を実施するための最良の形態】
【００１４】以下、本発明の実施の形態を図に基づいて説明する。【００１５】図１−１が従来のラッピング新聞で間に新聞紙やチラシをはさんで宅配していた。【００１６】図１−２が考案した宛名ぽけっとラッピング新聞で適当な箇所に切れ目５Ａをつくるとぽけっと状態ができて、郵便物や広告宣伝物などをはさみ込むことができる。【００１７】図２が正面側からみたもので、６Ｂの部分にのり付け部分があり、郵便物や宣伝物を固定できる。【００１８】図３が二つ折りした状態をつくると宛名部分８Ｃと広告部分７Ｄにわかれる。【００１９】図４が二つ折りした状態の宛名部分の裏側に本、書籍等を挟む。【００２０】図５が宛名ぽけっとラッピング新聞全体を透明なビニールで包んだもの１０Ｅで個人情報の安全となかのものがばらけないよう、エコにも配慮している。【００２１】また図５が全体図で、今まで無宛名宅配であったラッピング新聞を個別宛名宅配を可能にできる。【００２２】個別宛名宅配を可能にすると、相当量の広告収入増が見込める。【００２３】本発明、宛名ぽけっとラッピング新聞は、日本古来の紙媒体文化と新聞、郵便、書籍等の宅配の衰退を防ぐことができる。
【図面の簡単な説明】
【００２４】
【図１−１】従来の新聞を包むラッピング新聞
【図１−２】ラッピング新聞に適当な切れ目を入れぽけっと状態をつくる
【図２】考案の宛名ぽけっとラッピング新聞の切れ目、ぽけっとに郵便物や広告宣伝物いれ糊付けした状態を正面側からみたもの
【図３】宛名ぽけっとラッピング新聞を二つ折りにし宛名部分と広告部分にわかれる
【図４】二つ折りにした間に本、書籍等をはさむ
【図５】宛名ぽけっとラッピング新聞全体を透明ビニールで包みパックする
【符号の説明】
【００２５】１  新聞紙、チラシ
２  ラッピング新聞
３  宛名ぽけっとラッピング新聞
４  郵便物や広告宣伝物
５Ａ  適当な切れ目を入れ、ぽけっと状態をつくる
６Ｂ  のり付け部分
７Ｄ  広告部分
８Ｃ  宛名部分
９  本、書籍等
１０Ｅ  透明なビニールで包みこむ
【図１−１】
2011184099.tif 000003
【図１−２】
2011184099.tif 000004
【図２】
2011184099.tif 000005
【図３】
2011184099.tif 000006
【図４】
2011184099.tif 000007
【図５】
2011184099.tif 000008
(57)【要約】【課題】  従来の耐震補強工事では一部の壁を解体したり、引き戸をなくして耐力壁を新設したりと、大きな工事になり、その結果工事費も多額になるうえ工事期間も永く、工事中の生活の不便、使い勝手が悪くなるなどで、なかなか耐震補強工事に踏み切れず普及が進まなかった。【解決手段】本発明は作業場で耐力壁を製作して、既存の引き戸と交換すれば工事が早く、工事費用も安くなると考えて、外した引き戸にあわせて分厚い合板を加工し、鴨居溝と敷居溝を利用して嵌め込み、耐力壁と鴨居溝の間にクサビを打ち込んで固定するようにした。  このようにすれば二間続きで使いたい場合にはクサビを抜けば簡単に耐力壁を取り外すことが出来るので耐震補強工事に踏み切りやすく普及率の向上が図れる。【選択図】  図１
2011184926.tif 000002
【特許請求の範囲】
【請求項１】
分厚い合板の上部と下部を、引き戸の戸首状に形成し、上部両端にクサビを打ち込めるような斜めの切断部を設けた、耐震補強工事用の簡単に取り外しできる耐力壁。
【請求項２】
請求項１の耐力壁の一部に、人間が出いり出来る大きさの開口部を設けて，地震のときの脱出口とした、簡単に取り外しできる耐力壁。
【請求項３】
請求項１や、請求項２の耐力壁を、工事対象部分の引き戸を取り外した、鴨居溝と敷居溝へ嵌め込み、上部の斜めの切断部へクサビを打ち込んで固定することを特徴とする、簡単に取り外しできる耐力壁の設置工事方法。
【発明の詳細な説明】
【技術分野】
【０００１】
本発明は木造の在来軸組み工法で建築された家屋の耐震補強工事に関するものである。
【背景技術】
【０００２】
従来の耐震補強工事では一部の壁を解体したり、引き戸をなくして耐力壁を新設したりと、大きな工事になり、その結果工事費も多額になるうえ工事期間も永く、工事中の生活の不便、使い勝手が悪くなるなどで、なかなか耐震補強工事に踏み切れず普及が進まなかった。
【先行技術文献】
【特許文献】
【０００３】
【特許文献１】特開平０９−２２８５４８号公報
【特許文献２】特開２００８−９５４３０号公報
【特許文献３】特開２００９−３０３８２号公報
【発明の開示】
【発明が解決しようとする課題】
【０００４】
在来軸組み工法で建築された木造家屋に対する耐震補強工事の主流となっているのは、耐力壁の比率を上げることと、耐力壁をバランスよく配置することとなっている。
そのために既存の弱い壁を解体して筋交いを入れたり、合板で補強したり、引き戸の一部を犠牲にして耐力壁を増やしたりしている。
【０００５】
けれども古い木造家屋(特に１９８１年の建築基準法改正前)の木造家屋の耐震補強工事の普及を進めるために、政府や各自治体が補助金制度などで後押ししていますが、このような家屋の多くは１階部分に引き戸が多用され、壁の内部にも筋交いを入れてないものも多く耐力壁のバランスもわるい
【０００６】
上記のような家屋の耐震補強工事を施すには、既存の壁を解体して筋交いを入れるか、構造用合板で下地を造り仕上げに塗り壁やクロス等を施す必要があり、大工事になる場合が多い。
【０００７】
それでも耐力壁が足りなくて、４枚引き戸の両側を犠牲にして耐力壁を新設したりして耐力壁を増やしたりバランスの改善を図ったりしている。
【０００８】
このように耐震補強工事には多額の自己負担金が必要なうえ、工事の長期化による生活の不便、引き戸の減数によっての使い勝手の悪さ、特に座敷を２間続きで使えなくことへのこだわり、等を考えればいつ発生するかわからない地震に対してそこまでして耐震補強工事をやりたくないと考える人が多く、大きな地震での家屋の倒壊や大規模半壊などで多くの人的被害や物的被害が出てしまっています。
【０００９】
被害が出てしまってからでは家屋の解体や修復に多額の工事費が必要となり、個人あるいは自治体や政府の大きな負担となっています。  
【００１０】
耐震補強工事の普及を進めるために求められているのは、使い勝手が悪くならず、生活の不便も少なく、工事期間が短い、ひいては工事費の安い耐震補強工事方法です。  
【課題を解決するための手段】
【００１１】
既存の４枚あるいは２枚の引き戸の一部を取り外して、引き戸の大きさにあわせて厚さ２４ミリ〜３０ミリの合板を切断し、上部を鴨居溝に、下部を敷居溝に嵌るように戸首状に加工して、上部両端をクサビを打ち込めるよう斜めに切断する。
【００１２】
そのうえで合板の一部を人が出入りできる大きさに開口して、地震のときの脱出口となるようにしたものも考えられる。
開口部の形状は四角形や丸型や楕円形が考えられるが、楕円形のほうが耐震壁としての耐震力の低下が少ない。大きさは楕円形の長手方向で人の肩幅が入るような大きさにする。
【００１３】
上記の形状のほかに耐震力を損なわない程度に多数の小窓を開けて明り取りとしたものも考えられる。
【００１４】
耐力壁の表面に襖紙やクロス、塗装等で仕上げれば周囲との違和感もなくなる。
【００１５】
このように加工した取り外しできる耐力壁を鴨居溝と敷居溝に嵌め込んで、上部両側の斜めの切断部にクサビを打ち込んで固定する。
【発明の効果】
【００１６】
このように耐力壁を接置すれば、いざ地震のときには家屋が歪もうとするときの斜め上からの力を耐力壁が受け止めて家屋の倒壊や大規模な半壊を防ぐことが出来るので人的被害も小さく後の修復が簡単になり工事費も安くて済む。
【００１７】
またこのように設置した耐震壁は２間続きで使用するようなときはクサビを取り外せば簡単に取り外すことが出来るので工事に対して迷いがなく耐震補強工事の普及を進めやすい。
【００１８】
なお２枚戸あるいは４枚戸の場合は、出入りする場所の耐力壁はクサビを打ち込まないで引き戸としても利用できる。
【図面の簡単な説明】
【００１９】
【図１】取り外しできる耐力壁を設置した状態の正面図
【図２】切断線Ａ―Ｂで切断した耐力壁の設置断面図。
【図３】取り外した耐力壁の斜視図、
【符号の説明】
【００２０】
１  合板を加工した耐力壁
２  打ち込んだクサビ
３  耐力壁上部のクサビを打ち込むための切断面
４  鴨居
５  地震のときに脱出口となる開口部
６  敷居
７  戸首状に加工した耐力壁の上部
８  戸首状に加工した耐力壁の下部
９  鴨居溝
１０敷居溝        
【図１】
2011184926.tif 000003
【図２】
2011184926.tif 000004
【図３】
2011184926.tif 000005
(57)【要約】【課題】戸建住宅用免震装置を設置する戸建住宅建築に関し、初期投資が高額であると共に、免震装置の機能を維持するための維持費が必要となり、戸建住宅用免震装置付き戸建住宅の普及が進んでいない。【解決手段】戸建住宅のべた基礎と地盤の間にバラスト（砕石や砂利）を厚さ２５０ｍｍ以上敷き詰めた戸建住宅用簡易免震（バラスト）工法のため、免震装置の設置に建設基準法で義務化されている構造解析（動的解析）が不要となり、初期投資の設計費の低減が図られ、免震機構としてバラスト（砕石や砂利）を使用するため、初期投資の免震装置が不要となると共に、免震装置のような機械式構造を有しないため定期保守等の維持費も発生しない廉価な戸建住宅用簡易免震（バラスト）工法である。また、本発明の戸建住宅用簡易免震（バラスト）工法と耐震技術や制震技術を組合せることにより地震に対し、より安全性の高い戸建住宅を提供できる。【選択図】図１
2011184984.tif 000002
【特許請求の範囲】
【請求項１】
戸建住宅建築において、戸建住宅のべた基礎と地盤の間にバラスト（砕石や砂利）を厚さ２５０ｍｍ以上敷き詰め、地盤から伝わる地震エネルギーを分散し地震動を低減する戸建住宅用簡易免震（バラスト）工法。
【発明の詳細な説明】
【技術分野】
【０００１】
本発明は、戸建住宅用簡易免震（バラスト）工法に関するものである。
【背景技術】
【０００２】
最近の免震技術としては、建物と土台の基礎との間に積層ゴム体やベアリング等を活用した免震装置を設置し、地震の揺れが直接建物に伝わるのを防止する建築工法が一般的である。
【０００３】
しかし、免震装置を設置した建築工法では、地震動が直接建物に伝わり難いため、家具や什器等の転倒を減少する効果が分かっていても、免震戸建住宅に関わる初期投資（設計費や施工費）が高額と成ると共に、免新装置の機能を維持するための定期保守、及び定期的に取替え工事が必要となり、戸建住宅市場への普及が進んでいないのが現状である。
【０００４】
この改善策として、バラスト（砕石や砂利）を利用した戸建住宅用簡易免震（バラスト）工法が考えられる。
【０００５】
本発明は、鉄道の路線に用いられているバラスト軌道を参考にした、戸建住宅用簡易免震（バラスト）工法である。鉄道の路線は、路盤の上にバラスト（砕石や砂利）を厚さ約２５０ｍｍ程度敷き詰めその上に枕木とレールを敷設し鉄道車両を走らせている。このバラスとの役割は、鉄道車両の重圧をレールと枕木を経由し、路盤に効率良く分散し伝えるために、低振動、低騒音を実現している。
【０００６】
このバラスト（砕石や砂利）の役割で有る低振動に着目し、戸建住宅のべた基礎と地盤の間にバラスト（砕石や砂利）を厚さ２５０ｍｍ以上敷き詰め、地盤から伝わる地震エネルギーを分散することにより地震動を低減し、戸建住宅の揺れを低減することが出きる。
【先行技術文献】
【非特許文献】
【０００７】
【非特許文献１】大島治雄著  「ＪＩＡｎｅｗｓＣＰＤ技術編・免震住宅の計画・免震シリーズ第２回」    社団法人日本免震構造協会  ２００２年
【発明の概要】
【発明が解決しようとする課題】
【０００８】
解決しようとする問題点は、戸建住宅用免震装置を設置する戸建住宅建築に関し初期投資（設計・装置・施工費等）が高額であると共に、免震装置の機能を維持するための維持費（定期保守・定期的取替え工事費等）が必要となり、戸建住宅用免震装置付き戸建住宅の普及が進んでいない点にある。
【課題を解決するための手段】
【０００９】
本発明は、戸建住宅のべた基礎と地盤の間にバラスト（砕石や砂利）を厚さ２５０ｍｍ以上敷き詰めた戸建住宅用簡易免震（バラスト）工法のため、免震装置の設置に建築基準法で義務化されている構造解析（動的解析）が不要となり、初期投資の設計費低減が図られる。また、バラスト（砕石や砂利）は、免震装置のような機械式構造を有しないため、維持費も不要となることを主な特徴とする。
【発明の効果】
【００１０】
本発明の戸建住宅用免震（バラスト）工法は、戸建住宅のべた基礎と地盤の間に敷き詰めた厚さ２５０ｍｍ以上のバラスト（砕石や砂利）が、地震エネルギーにより発生する地震動により、バラスト同士が擦れて発生する摩擦力により自己減衰し地震動を分散し戸建住宅へ伝達するため、戸建住宅の揺れを低減する効果が期待できる
【図面の簡単な説明】
【００１１】
【図１】図１は、戸建住宅用簡易免震（バラスト）工法の実施例（平面図）である。
【図２】図２は、戸建住宅用簡易免震（バラスト）工法の実施例（断面図）である。
【実施例１】
【００１２】
図１は、本発明における実施例の平面図である。１は敷地、２は戸建住宅、３はバラスト（砕石や砂利）の施工範囲である。３のバラストの施工範囲は、２の戸建住宅の建築面積より一回り大きく施工する。
【００１３】
図２は、本発明における実施例の断面図である。４は地盤、５はバラスト（砕石や砂利）、６はべた基礎、７は戸建住宅の土台、８は戸建住宅、９はバラストの敷き詰め厚さ（２５０ｍｍ以上）である。６のべた基礎と４の地盤の間に５のバラスト（砕石や砂利）を厚さ２５０ｍｍ以上敷き詰め施工する。
【産業上の利用可能性】
【００１４】
一般的な戸建住宅建築における基礎工事（地業工事）の延長上にあり、戸建住宅建築に利用可能である。
【符号の説明】
【００１５】
１    敷地
２    戸建住宅（平面図）
３    バラスト（砕石や砂利）の施工範囲
４    地盤
５    バラスト（砕石や砂利）
６    べた基礎
７    戸建住宅の土台
８    戸建住宅（断面図）
９    バラストの敷き詰め厚さ（２５０ｍｍ以上）
【図１】
2011184984.tif 000003
【図２】
2011184984.tif 000004
(57)【要約】      （修正有）【課題】従来のストッキングは足を美しく見せるために足全体を覆うものになっていたため、ペディキュア（足指のマニキュア）が目立たず、おしゃれを楽しむことが出来なかった。ネイルが見せられるようにストッキングのつま先部分をなくし、指を通すための穴を５箇所設けたストッキングを提供する。【解決手段】ストッキング１のつま先を覆う部分をなくし、指が１本ずつ入るような指穴２を５箇所設けたことを特徴とした、指穴付きつま先なしストッキング。【選択図】図２
2011184811.tif 000002
【特許請求の範囲】
【請求項１】
ストッキングのつま先部分を無くし、指を通すための指穴を５箇所設けたことを特徴とした、指穴付きつま先なしストッキング。
【発明の詳細な説明】
【技術分野】
【０００１】
本発明は、ストッキングのつま先部分をなくし、指を通す為の穴を５箇所設けたストッキングに関するものである。
【背景技術】
【０００２】
従来ストッキングは、足全体を覆う物になっていた。  
また、つま先部分がなく、開口部が１箇所になっているものがあった。
【先行技術文献】
【特許文献】
【０００３】
【特許文献１】特開２００６−１３２０７０号公報
【発明の概要】
【発明が解決しようとする課題】
【０００４】
従来のストッキングには次のような問題点があった。
足を美しく見せる為にストッキングは必需品である。
近年、ネイルはファッションの一部となり、ネイルアートを楽しむ女性も多い。
しかし、ストッキングを履くとぺディキュアが見えなくなってしまう。
かといって、素足には抵抗もあり、おしゃれを楽しむことができなかった。
つま先の開口部が１箇所のものは、長時間の着用ではヨレやズレがでてフィット感に欠け、着用感も良くない。
本発明は以上のような問題点を解決する為になされたものである。
【課題を解決するための手段】
【０００５】
ストッキングのつま先部分をなくし、指が一本ずつ入るような指穴を５箇所設けた。    
以上を特徴とする、指穴付きつま先なしストッキングである。
【発明の効果】
【０００６】
ストッキングを履いても、つま先部分が無くなることで、ペディキュアが見せれるようになりネイルアートを楽しみ、個性、ファッションを十二分に楽しむことが出来る。
指穴を５箇所設け、指を１本ずつ通すことにより、フィット感も得られ、ズレやよれることもなく着用感も向上する。
足指を出すことによりサンダル等を履いたときに指に力を入れることができるようになり、歩きやすくなるという効果が得られ、足の疲れも軽減される。
【図面の簡単な説明】
【０００７】
【図１】本発明の着用図である。
【図２】本発明の斜視図である。
【発明を実施するための形態】
【０００８】
以下、本発明を実施する為の形態について説明する。
ストッキングのつま先部分をなくし、その先端部に指を通す為の穴を５箇所設ける。
本発明は、以上のような構造である。
【符号の説明】
【０００９】
１  ストッキング
２  指穴
３  親指
４  人差し指
５  中指
６  薬指
７  小指
【図１】
2011184811.tif 000003
【図２】
2011184811.tif 000004
(57)【要約】      （修正有）【課題】雪が手袋の手首部分より進入するのを防ぎ肌が出ないことを目的とする手袋を提供する。【解決手段】手袋１に手袋の袖口２を長くしたものと袖口腕カバー３を設け、手首部分から一体化させ連結した事を特徴とする手袋１。【選択図】図２
2011184844.tif 000002
【特許請求の範囲】
【請求項１】
手袋に手袋の袖口を長くしたものと、袖口腕カバーを設け手首部分から一体化させ、連結したことを特徴とする手袋である。
【発明の詳細な説明】
【技術分野】
【０００１】    本発明は雪遊び又は、外遊びの場合などに防寒、防水を目的とした手袋であり、手袋の隙間から雪や水分風が入るのを防ぐ手袋に関するものである。
【背景技術】
【０００２】    従来、防水防寒手袋といえば一般的に、５本指のものもしくはグローブタイプのものでナイロン製のもの、袖口の付いたものがある。
手首、袖口から雪や水が入り冷たい風に当たり肌けた部分がしもやけになり冷たい思いをしながら遊ぶ子供が多く寒さに耐えなければならなかった。
【発明の概要】
【発明が解決しようとする課題】
【０００３】そのために、次のような問題点があった。
（イ）様々な手袋があるが、袖口が短く手首が出てしまい遊んでいるうちに雪が入るという欠点があった。
（ロ）眺めの袖口が付いている防寒防水手袋であっても、袖口が毛又はアクリルなどで出来ている為に雪が付着し、時間の経過で水が染み出て濡れてしまう欠点が有った。
（ハ）袖口が長めに付いていて、防寒防水に長けている手袋は子供用のものが多いが、子供は付け直さずに着用し続けるために、雪が入るのを防ぐ手立ては無く、大人が時々付け直す以外ぬれるのを防ぐことは困難だった。【０００４】本発明はこれらの問題点を解決し、雪が手首と腕の切り替え部分より進入するのを防ぎ、袖口部分がぬれるのを防ぎ雪の冷たさ寒さから肌を守り、体への負担を減らすことを目的とし、子供から大人まで幅広い年齢層が対象になり消耗品としてなされる手袋を提供することを目的とする。
【課題を解決するための手段】
【０００５】手袋に手袋の袖口を長くしたものと、袖口腕カバーを設け、手首部分から一体化させ連結した事を特徴とする手袋である。
【発明の効果】
【０００６】防水防寒、加工された生地が腕カバーとなる事により、長時間遊んでいても袖口から雪が入るのを防ぐ効果がある。【０００７】更には、腕カバーの下に袖口が長めに付いている為に、暖かく、万が一雪が袖カバーより中に入ってきても、肌に雪が付くのを防ぐものである。【０００８】腕カバーの途中にギャザーが入っており、ゴムで絞ってあるので、仮に雪が進入してきても、ストッパーの役割を果たし、雪を止めてくれるカバーでもある。【０００９】中に袖口を付ける事により、腕カバーと２重で腕を暖める効果もある。【００１０】手袋と手袋の中、袖口と袖口腕カバーが一体化して、手首部分で繋がっている為に、着脱簡単になっており、バラバラになることも無くより便利になった手袋である。【００１１】手首からの雪や水の侵入を防ぎ雪の冷たさ寒さから肌を守り、付け直す手間も軽減されるため本人だけではなく、保育者の精神的体力的負担も減らすことが出来る手袋である。【００１２】一般的にジャンバーを着用した上に手袋をつけるとすると、通常のジャンバーの袖の上下にカバーされる為実際は３重で腕をガードすることになったものである。【００１３】従来の手袋では、手首から雪が入ってきて服の袖儀うちまで濡らし、雪遊びには冷たさが付き物であったが、すべてが改善されている手袋である。
【図面の簡単な説明】
【００１４】
【図１】  本発明の正面図
【図２】  本発明の一部を切り欠いたた正面図
【発明を実施するための形態】
【００１５】以下、本発明の実施の形態について説明する。
尚、本発明は、これらの形態になんら限定されるものではなく、その要旨を逸脱しない範囲において種種なる態様で実施しうる。
【００１６】（イ）手袋（防水防寒加工済み、中綿入り等）（１）に手袋の袖口（２）と袖口腕カバー（３）を手首部分での一体化部位（５）から重ねて連結させる。
（ロ）手袋の袖口（２）は長さを設け、大体手首からひじまでの中間ぐらいまでの長さにする。
（ハ）手首部分での一体化部位（５）からつけた袖口腕カバー（３）は、ひじの近くまで来るほどの長さを設け風や雨の侵入を防ぐものとする。
（ニ）袖口腕カバー（３）（ナイロン製など防水加工済みの生地を利用）については、ゴム（４）が中間にも入っており、絞り込まれている為に入り口から雪などが入ってしまっても、中間で雪の進入を防ぐ為に役立っている。
（ホ）本発明の手袋は、腕カバーが付いていることにより腕部分が２重にガードされていることを特徴とする手袋である。
（ヘ）手袋（１）手袋の袖口（２）袖口腕カバー（３）については、防寒防水加工された材質で出来ており、雪の中、外で利用する事に適していれば、材質については断定するものではない。
【００１７】本発明は以上の構成からなるので本発明を利用する時は、手袋の袖口（２）をしっかりと洋服の中にいれ、袖口腕カバーを肘近くまでかぶせ着用する。
【符号の説明】
【００１８】  １  手袋
２  手袋の袖口
３  袖口腕カバー
４  ゴム
５  手首部分での一体化部位
【図１】
2011184844.tif 000003
【図２】
2011184844.tif 000004
(57)【要約】  【課題】従来の発光被り物は頭部を包む被り物本体の外面に発光ダイオード等が配置されているので、その着用者の存在を示す視認装置としての機能は発揮している。しかし、従来の発光被り物は、その着用者にとっては照明装置にはなり難くかった。【解決手段】鍔付き被り物の鍔の内面に発光用電子部品を装着することにより、その着用者にとっては前面を照らす照明装置となる。【選択図】図１
2011184841.tif 000002
【特許請求の範囲】
【請求項１】
照明装置としての発光ダイオード２の照射角度を被り物の鍔１の水平角度より下方に下げることを特徴とする鍔付き被り物の発光装置
【請求項２】
電源部５を収納する電源部収納袋６を帽子本体の前頭部に取り付けることを特徴とする鍔付き被り物の発光装置
【請求項３】
前記発光ダイオード２の照射角度は被り物の鍔１の水平角度より10度から20度下方であることを特徴とする請求項１記載の鍔付き被り物の発光装置
【発明の詳細な説明】
【技術分野】
【０００１】
本発明は、発光装置を具備する帽子、サンバイザー、ヘルメット、レインウェアー、傘等の発光被り物に関する。
【背景技術】
【０００２】
従来の発光被り物の発光装置は発光ダイオード（ＬＥＤ素子）等が使用されており、
被り物の頭頂部（例えば、特許文献１参照）や外周部（例えば、特許文献２参照）、後頭
部（例えば、特許文献３参照）、前頭部（例えば、特許文献４参照）に発光装置が配置さ
れている。
【０００３】
【特許文献１】実開昭５９−１８９８３４号公報
【特許文献２】特開平１１−３２９００３号公報
【特許文献３】特開平１０−００８３１９号公報
【特許文献４】特開平０８−１００３１８号公報
【発明の概要】
【発明が解決しようとする課題】
【０００４】
従来の発光被り物は頭部を包む被り物本体の外面に発光ダイオード等が配置されてい
るので、その着用者の存在を示す視認装置としての機能は発揮している。しかし、従来の
発光被り物は、照明の方向が帽子の鍔の水平方向と同一の方向にあり、着用者の目線とずれが生じているため、その着用者にとっては照明装置にはなり難いという問題があった。
また、その発光装置は被り物自体に組み込まれているので、汚れや汗を取るための洗濯等が出来ないため、長期間の使用に不向きであるという問題があった。
そこで本発明は、以上のような課題を解決するためになされたものである。
【課題を解決するための手段】
【０００５】
本発明では、発光ダイオード２の照射方向を被り物の鍔の角度より下方に１０度から２０度下げることと、電池を納めた電源部５を専用の防水性のある生地による電源部収納袋６に入れて発光ダイオード２と電源部５を専用のコードで配線していることを特徴としている。
【発明の効果】
【０００６】
被り物に前面を照らす発光装置を組み込み、照射角度を帽子の鍔の水平方向より下方に１０度から２０度傾けることにより、暗闇での補助照明装置を手で持つ必要が無いので、安全面で非常に便利である。また、少々の激しい動きをした時でも帽子がずれない限り発光ダイオード２がずれないので、常に目線と光線の方向が概ね一致する
ために非常に見やすくなっており、安全に対し、非常に有効である。
【０００７】
電源部５を収納する電源部収納袋６を装着することにより、前面からの衝撃などによる頭部への損傷防止の働きも兼ねることができる。
【０００８】
発光装置が防水加工されているため、汚れや汗による洗濯等が可能である。
【０００９】
電源であるバッテリーにリチウム電池を使用しており、その特徴である自然放電が少な
いので、装着したままでの長期保存が可能なため、災害等の非常用照明装置として利用で
きる。
【図面の簡単な説明】
【００１０】
【図１】鍔付き被り物の発光装置の平面図である。
【図２】鍔付き被り物の発光装置の鍔の側面図である。
【図３】鍔付き被り物を裏から見た写真である。
【図４】鍔付き被り物を横から見た写真である。
【発明を実施するための最良の形態】
【００１１】
本発明に係る発光被り物は、鍔付き被り物の鍔１の布の内面に正面を向けて発光ダイオード２を鍔1の水平方向より下方に15度下げて取り付けることにより、正面からその光を直視した場合にも眩しくなく、また散歩などでの足元への照射、夜釣り等での手元の照射に適切な角度となる。
【００１２】
鍔1に発光ダイオード２を３個点灯、５個点灯、３個点滅の切り替えや一定の輝度を保たせるための制御をおこなう電子回路基盤３とスイッチ４を組み込んでいる。
【００１３】
電子回路基盤３とスイッチ４の電気接点を樹脂によるモールドして防水仕様にすると共に、電源部５を収納する電源部収納袋６も防水布にすることで防水機能を有するため、屋外での雨や海上での水しぶきの中でも使用可能である。
【００１４】
実施例では発光ダイオード２は鍔付き被り物の鍔１の水平方向より下方に１５度傾けたとしたが、１０度から２０度の範囲で用途に応じて使い分けすることが出来る。
【符号の説明】
【００１５】
１. 被り物の鍔
２. 発光ダイオード
３. 電子回路基盤
４. スイッチ
５. 電源部
６. 電源部収納袋
【図１】
2011184841.tif 000003
【図２】
2011184841.tif 000004
【図３】
2011184841.tif 000005
【図４】
2011184841.tif 000006